(57)【要約】【課題】装着体の設置箇所の状況の如何にかかわらず設置が確実に行なえるスタンド装置を提供する。【解決手段】スタンド装置１０は、載置面に固定されるスタンドベース２０と、スタンドベース２０に着脱自在であって装着体を被装着部３０４によって装着する回動アーム３０とからなり、スタンドベース２０の上部に面が平坦で滑らかな滑面２０３を形成し、回動アーム３０に吸盤３０２を形成し、吸盤３０２を滑面２０３に吸着することにより回動アーム３０に装着した装着体を所定箇所に設置するように構成した。【選択図】図２
2010066385.tif 000002
【特許請求の範囲】
【請求項１】
載置面に固定されるスタンドベースと、該スタンドベースに着脱自在であって装着体を装着する回動アームと、からなるスタンド装置であって、
前記スタンドベースの上部に形成された表面が平坦で滑らかな滑面と、
前記回動アームに形成されて吸着により前記滑面に取付けられる吸着手段と、
を備えてなることを特徴とするスタンド装置。
【請求項２】
前記スタンドベースは、一端を該スタンドベースに取付けたスタンドベース側ストラップを有し、
前記回動アームは、一端を該回動アームに取付けた回動アーム側ストラップを有し、
前記スタンドベース側ストラップの他端と前記回動アーム側ストラップの他端とは連結部によって分離自在に連結されることを特徴とする請求項１に記載のスタンド装置。
【発明の詳細な説明】
【技術分野】
【０００１】
本発明は、設置箇所に固定されるスタンドベースと、スタンドベースに着脱自在であって装着体を装着する回動アームとからなるスタンド装置に関し、特に、装着体を車両などに設置して使用する場合に適用されるスタンド装置に関するものである。
【背景技術】
【０００２】
近年、車載用電子機器として音楽再生機能やデジタル放送受信機能を内蔵したナビゲーション装置が普及している。これらの車載用電子機器は、車内のダッシュボードなどに固定されたスタンド装置に取付けられている。
【０００３】
この種のスタンド装置としては、例えば、下記の特許文献１（特開平８−２９５１８５号公報）に示す従来技術が提案されている。この従来の着脱式スタンドにおいては、車載用電子機器としてのＧＰＳモニターを装着したアタッチメントをベース雲台によってスタンドベースに対して選択的に着脱可能に連結するようにしたものである。また、この着脱式スタンド装置には、ベース雲台の旋回位置をロックする旋回ロック機能部が設けられている。
【０００４】
これにより、ＧＰＳモニターは左右方向に向きを自由に旋回操作して所望の位置でロックして使用できる。また、スタンドベースをダッシュボードに固定する方法としては吸盤を用いることも考えられている。
【特許文献１】特開平８−２９５１８５号公報（段落［００１６］〜段落［００２０］、段落［００２６］）
【発明の開示】
【発明が解決しようとする課題】
【０００５】
しかしながら、従来の着脱式スタンドにおいては、アタッチメントをスタンドベースに着脱する際に、アタッチメント側の円形ロック片をスタンドベース側のベース雲台組込溝に挿入する作業を直視して行う必要があるため、フロントガラスなどが邪魔になって迅速に着脱作業を行うことができないという問題点があった。
【０００６】
また、吸盤を用いてアタッチメントの取り付け作業を行うことが考えられるが、例えばダッシュボードのようにシボ加工が施された複雑な凹凸模様により形成されている設置箇所では吸盤による吸着力が十分に得られないため、設置箇所が大きく制限されてしまうという問題点があった。
【０００７】
そこで、本発明は、上記の問題点を解消することを課題とし、装着体の設置箇所の状況の如何にかかわらず設置が確実に行なえるスタンド装置を提供することを目的とするものである。
【課題を解決するための手段】
【０００８】
前記課題を解決するため、本願の請求項１に係る発明は、
載置面に固定されるスタンドベースと、該スタンドベースに着脱自在であって装着体を装着する回動アームと、からなるスタンド装置であって、
前記スタンドベースの上部に形成された表面が平坦で滑らかな滑面（例えば下記実施例では、滑面２０３に相当する）と、
前記回動アームに形成されて吸着により前記滑面に取付けられる吸着手段（例えば下記実施例では、吸盤３０２に相当する）と、
を備えてなることを特徴とする。
【０００９】
また、本願の請求項２に係る発明は、請求項１に係るスタンド装置において、
前記スタンドベースは、一端を該スタンドベースに取付けたスタンドベース側ストラップ（例えば下記実施例では、スタンドベース側ストラップ５０に相当する）を有し、
前記回動アームは、一端を該回動アームに取付けた回動アーム側ストラップ（例えば下記実施例では、回動アーム側ストラップ６０に相当する）を有し、
前記スタンドベース側ストラップの他端と前記回動アーム側ストラップの他端とは連結部（例えば下記実施例では、連結部７０に相当する）によって分離自在に連結されていることを特徴とする。
【発明の効果】
【００１０】
本発明のスタンド装置は、次に示すような優れた効果を奏する。
【００１１】
すなわち、請求項１に係る発明においては、スタンド装置は、スタンドベースが載置面に固定して設置されており表面に平坦な滑面を有している。そして、装着体を装着する回動アームに吸盤が設けられている。
【００１２】
このような構成によれば、装着体を回動アームから取外して使用する場合は、吸盤による滑面への吸着を解除し回動アームをスタンドベースから取除くことができる。そのため、装着体の設置箇所には高さを低く抑えることができるスタンドベースだけを残すので邪魔にならない。特に、装着体を車両用に用いた場合には視界を妨げることがなくなる。一方、装着体を設置箇所に設置する場合は、装着体を装着して支持する回動アームをスタンドベースの表面に吸盤を吸着させるだけでよい。
【００１３】
また、設置箇所となる載置面はスタンドベースが接着などにより固定できる面であればよいので、面が如何なる状態であってもスタンドベースを確実に固定できる。即ち、回動アームでもって装着体を設置箇所に設置する構成が、スタンドベースの設置箇所への固定と吸盤による回動アームのスタンドベースへの固定とに分離したので、夫々の利点を生かして確実にして迅速な装着体の設置、取外しができるスタンド装置を提供できる。
【００１４】
また、請求項２に係る発明においては、請求項１に係るスタンド装置において、スタンドベースにスタンドベース側ストラップを取付けると共に回動アームに回動アーム側ストラップを取付け、このスタンドベース側ストラップと回動アーム側ストラップとを連結部によって分離自在に連結している。
【００１５】
このような構成によれば、不用意に吸盤による吸着が解除されていしまった場合、回動アームとスタンドベースがストラップにより連結されているので、装着体が設置箇所から落下し破損してしまう事故を確実に防止することができる。また、連結部はスタンドベース側ストラップと回動アーム側ストラップを分離させることができるので、回動アームをスタンドベースから取外すことに支障を生じないスタンド装置を提供できる。
【発明を実施するための最良の形態】
【００１６】
以下、本発明の具体例を実施例及び図面を用いて詳細に説明する。但し、以下に示す実施例は、本発明の技術思想を具体化するためのスタンド装置を例示するものであって、本発明をこのスタンド装置に特定することを意図するものではなく、特許請求の範囲に含まれるその他の実施形態のスタンド装置にも等しく適用し得るものである。
【実施例】
【００１７】
図１は、本発明の一実施例に係るスタンド装置をスタンドベースと回動アームに分離した状態を示す斜視図、図２は、図１におけるスタンドベースと回動アームとを一体にしたスタンド装置を示す斜視図、図３は、図２におけるスタンド装置に携帯型ナビゲーション装置を取付けた状態を示す斜視図、図４は、図２におけるスタンド装置に携帯型ナビゲーション装置を取付けた状態を示す平面図、図５は、図４におけるＡ−Ａ線で切断した断面図である。
【００１８】
本実施例に係るスタンド装置１０は、図１及び図２で示すように、スタンドベース２０と回動アーム３０とで構成され、図３〜図５で示すように、装着体である携帯型ナビゲーション装置４０を車両に搭載するために用いられるものである。
【００１９】
携帯型ナビゲーション装置４０は、図３〜図５で示すように、偏平で矩形の筐体４０１と、筐体４０１の前面にタッチパネル式の表示操作面４０２と、筐体４０１の背面中央部に設けられたスタンド装置１０を装着するための装着部（図示せず）とを備え、筐体４０１内には、ナビゲーション機能、音楽再生機能、デジタル放送受信機能、電池などが内蔵されている。携帯型ナビゲーション装置４０は、車両に搭載されたときには車両から電力の供給を受けて使用され、車両外で携帯されたときには内蔵する電池から電力の供給を受けて使用される。
【００２０】
スタンドベース２０は、図１、図４及び図５で示すように、プレート２０１と、プレート２０１上に設けられた円錐台形状の台座２０２と、台座２０２の上部に形成した表面が平坦で滑らかな滑面２０３と、台座２０２の側面に形成した複数の引っ掛け孔２０４と、から構成されている。
【００２１】
回動アーム３０は、図１、図４及び図５で示すように、支持部３０１と、支持部３０１の底面に設けられ滑面２０３より小さな吸着面からなる吸盤３０２と、支持部３０１の上部に設けられ上下、左右に回動する自在継手３０３と、自在継手３０３の先端に設けられ携帯型ナビゲーション装置４０を着脱自在に装着する被装着部３０４と、支持部３０１の側面に設けられた複数の引っ掛け孔３０５と、から構成されている。
【００２２】
また、図１で示すように、スタンドベース２０に設けられたうちの任意の一つの引っ掛け孔２０４には、紐状のスタンドベース側ストラップ５０の一端が取付けられている。回動アーム３０の支持部３０１に設けられたうちの任意の一つの引っ掛け孔３０５には、同じく紐状の回動アーム側ストラップ６０の一端が取付けられている。
【００２３】
さらに、図２で示すように、スタンドベース側ストラップ５０の他端と回動アーム側ストラップ６０の他端とは分離自在に連結部７０によって連結されるようになっている。この連結部７０はスタンドベース側連結部７０１と回動アーム側連結部７０２とに分離され、連結されたときにはこれをロックする、例えば、スナップ式のロック機構（図示せず）が設けられている。
【００２４】
次に、上述した本実施例のスタンド装置１０の設置方法について説明する。
【００２５】
まず、図１で示すように、回動アーム３０と分離したスタンドベース２０を用意し、スタンドベース側ストップ５０を取付けたスタンドベース２０を車両などのダッシュボードの携帯型ナビゲーション装置２０を設置すべき箇所に、そのプレート２０１の底面に両面テープを貼着して固定する。
【００２６】
そして、回動アーム側ストラップ６０を取付けた回動アーム３０を用意し、この吸盤３０２を固定されたスタンドベース２０の滑面２０３に押し当てて吸着させる。その結果、回動アーム３０はスタンドベース２０上に固定される。
【００２７】
次に、図２で示すように、スタンドベース２０上に回動アーム３０が固定された状態において、スタンドベース側連結部７０１と回動アーム側連結部７０２とを接合し、連結部７０によってスタンドベース側ストラップ５０の他端と回動アーム側ストラップ６０の他端と連結し、この連結状態をロックする。
【００２８】
このようにして、図２で示すように、回動アーム３０はスタンドベース２０に取付けられる。その後、図３で示すように、携帯型ナビゲーション装置４０は、被装着部３０４に装着され、車両に搭載された状態で使用される。
【００２９】
ここで、回動アーム３０は初めに携帯型ナビゲーション装置２０を装着し、その後に携帯型ナビゲーション装置２０を支持した状態でスタンドベース２０に取付けるようにしてもよい。
【００３０】
携帯型ナビゲーション装置４０を設置状態から取外す場合は、連結部７０のロックを解除してスタンドベース側連結部７０１と回動アーム側連結部７０２とを分離し、スタンドベース側ストラップ６０と回動アーム側ストラップ７０とを独立にする。そして、吸盤３０２による滑面２０３への吸着状態を解除して回動アーム３０をスタンドベース２０から離す。
【００３１】
このようにスタンドベース２０上から取外された回動アーム３０と携帯型ナビゲーション装置４０は他の場所に設置されたスタンドベースに取付けることが可能となる。また、携帯型ナビゲーション装置４０は回動アーム３０と分離して携帯用として使用することが可能となる。
【００３２】
従って、上述した本発明の一実施例のスタンド装置１０によれば、スタンドベース２０は設置箇所に固定して設置されており表面が平坦な滑面２０３を有している。そして、携帯型ナビゲーション装置４０を被装着部３０４によって装着する回動アーム３０には吸盤３０２が設けられている。
【００３３】
そのため、携帯型ナビゲーション装置４０をスタンド装置１０から取外して使用する場合は、吸盤３０２による滑面２０３への吸着を解除し回動アーム３０をスタンドベース２０から取除くことができる。そのため、設置箇所には不用になった回動アーム３０は存在せず、簡素な構成で高さを低くできるスタンドベース２０だけを残すので邪魔なものがなくなる。特に、車両用に用いた場合には視界を妨げることがなくなる。
【００３４】
一方、携帯型ナビゲーション装置４０を車両に設置する場合は、携帯型ナビゲーション装置４０を装着して支持する回動アーム３０をスタンドベース２０の滑面２０３に吸盤３０２を吸着させるだけでよい。そのため、設置作業は手探りであっても可能となり、例えば車両のダッシュボードに設置する場合、フロントガラスがあっても迅速かる確実に設置を行なうことができる。
【００３５】
また、設置箇所はスタンドベース２０が接着などにより固定できる面であればよい。そのため、設置面がシボ加工などを施された面、湾曲している面など如何なる状態であってもスタンドベース２０を確実に固定できる。その結果、回動アーム３０でもって携帯型ナビゲーション装置４０を設置箇所に設置する構成は、スタンドベース２０の設置箇所への接着などによる固定と、吸盤３０２による回動アーム３０のスタンドベース２０への固定とに独立させ、夫々の利点を損なうことがないよう形成されている。従って、携帯型ナビゲーション装置４０は回動アーム３０を介して容易に設置あるいは取外しを行うことができる。
【００３６】
また、スタンドベース２０にはスタンドベース側ストラップ５０を取付け、回動アーム３０には回動アーム側ストラップ６０を取付けている。そして、このスタンドベース側ストラップ５０と回動アーム側ストラップ６０とを連結部７０によって分離自在に連結している。
【００３７】
そのため、吸盤３０２による吸着力が低下し、不用意に回動アーム３０がスタンドベース２０から外れてしまってもスタンドベース側ストラップ５０と回動アーム側ストラップ６０とが連結されているので、携帯型ナビゲーション装置４０が設置箇所から落下して破損してしまう事故を防止できる。特に、このような構成は携帯型ナビゲーション装置４０を車両内に設置して使用する場合に有用である。
【００３８】
なお、上記実施例においては、スタンドベース２０に設けられたうちの任意の一つの引っ掛け孔２０４に紐状のスタンドベース側ストラップ５０の一端が取付けられ、回動アーム３０の支持部３０１に設けられたうちの任意の一つの引っ掛け孔３０５に紐状の回動アーム側ストラップ６０の一端が取付けられているが、本発明はこれに限定されることなく、複数の引っ掛け孔２０４にそれぞれ紐状のスタンドベース側ストラップ５０の一端を取り付け、複数の引っ掛け孔３０５にそれぞれ紐状の回動アーム側ストラップ６０の一端を取付ける構成にしてもよい。
【００３９】
また、上記実施例においては、装着体としては携帯型ナビゲーション装置４０としたが、本発明はこれに限定されることなく、携帯通信機器や携帯音楽再生装置、その他の各種電子機器などにも適用できる。
【図面の簡単な説明】
【００４０】
【図１】本発明の一実施例に係るスタンド装置をスタンドベースと回動アームに分離した状態を示す斜視図である。
【図２】図１におけるスタンドベースと回動アームとを一体にしたスタンド装置を示す斜視図である。
【図３】図２におけるスタンド装置に携帯型ナビゲーション装置を取付けた状態を示す斜視図である。
【図４】図２におけるスタンド装置に携帯型ナビゲーション装置を取付けた状態を示す平面図である。
【図５】図４におけるＡ−Ａ線で切断した断面図である。
【符号の説明】
【００４１】
１０・・・・スタンド装置
２０・・・・スタンドベース
３０・・・・回動アーム
４０・・・・携帯型ナビゲーション装置
５０・・・・スタンドベース側ストラップ
６０・・・・回動アーム側ストラップ
７０・・・・連結部
２０１・・・プレート
２０２・・・台座
２０３・・・滑面
２０４・・・引っ掛け孔
３０１・・・支持部
３０２・・・吸盤
３０３・・・自在継手
３０４・・・被装着部
３０５・・・引っ掛け孔
７０１・・・スタンドベース側連結部
７０２・・・回動アーム側連結部
【図１】
2010066385.tif 000003
【図２】
2010066385.tif 000004
【図３】
2010066385.tif 000005
【図４】
2010066385.tif 000006
【図５】
2010066385.tif 000007